(57)【特許請求の範囲】
【請求項１】
窓等の開口部がある箇所と、当該開口部がない箇所とを含む外壁を構成する複数の外壁材の取付構造において、
前記開口部がない箇所では、前記複数の外壁材のうちの第一外壁材が、建物における梁・基礎等の上下の水平構造部のそれぞれに対して第一ブラケットを介して取付具で取り付けられ、
上側の前記水平構造部に設けられる前記第一ブラケットには、前記取付具が挿通されるとともに水平方向に長い長孔が形成されており、
下側の前記水平構造部に設けられる前記第一ブラケットには、前記取付具が挿通される円孔が形成されており、
前記開口部がある箇所では、前記複数の外壁材のうち前記開口部の上方および／または下方に設けられる第二外壁材が、前記上下の水平構造部間に設けられた枠状の開口部用フレームに対して第二ブラケットを介して取付具で取り付けられ、
前記開口部用フレームの中央付近から上端部にかけての間に設けられる前記第二ブラケットには、前記取付具が挿通されるとともに水平方向に長い長孔が形成されており、
前記開口部用フレームの下端部に設けられる前記第二ブラケットには、前記取付具が挿通される円孔が形成されており、
前記第一ブラケット及び前記第二ブラケットにおける前記円孔の直径は、前記第一ブラケット及び前記第二ブラケットにおける前記長孔の長さ寸法よりも短く設定されており、
前記第一外壁材と前記第二外壁材は幅方向に隣り合って配置されていることを特徴とする外壁材の取付構造。
【請求項２】
請求項１に記載の外壁材の取付構造において、
前記開口部用フレームは、
前記上下の水平構造部間に架け渡されるようにして設けられるとともに間隔を空けて配置される左右一対の縦フレーム材と、
前記第二外壁材が取り付けられる位置において前記左右の縦フレーム材間に水平に架け渡されるようにして設けられる複数の横フレーム材と、を備えており、
前記第二ブラケットは、前記複数の横フレーム材に対して固定されていることを特徴とする外壁材の取付構造。
【請求項３】
請求項１または２に記載の外壁材の取付構造において、
前記第二外壁材は、前記開口部用フレームに対して予め取り付けられてパネル化されていることを特徴とする外壁材の取付構造。
【請求項４】
請求項１〜３のいずれか一項に記載の外壁材の取付構造において、
前記第二外壁材は、前記第二ブラケットを介して前記上下の水平構造部および前記開口部用フレームよりも前記第二ブラケットの厚み分、外側に配置されており、
前記開口部用フレームは、前記上側の水平構造部に対して上端接続部材を介して接続されており、
前記上端接続部材は、前記上側の水平構造部に接続される部位と、前記開口部用フレームに接続されるとともに垂直面を形成する部位と、を有しており、
前記垂直面を形成する部位は、前記開口部用フレームに対してボルト留めされ、当該ボルトは、前記垂直面を形成する部位と前記開口部用フレームとを接続した状態で屋外側に突出しており、
前記第二ブラケットの厚み寸法は、前記ボルトの屋外側への突出寸法よりも長く設定されていることを特徴とする外壁材の取付構造。
【請求項５】
請求項２を引用する請求項４に記載の外壁材の取付構造において、
前記開口部用フレーム及び前記上端接続部材は、前記上側の水平構造部の直下に設けられており、
前記開口部用フレームにおける前記横フレーム材は断面Ｌ字状に形成され、垂直面を形成する部位を有しており、
前記上端接続部材は断面Ｌ字状に形成され、前記垂直面を形成する部位を有しており、
前記横フレーム材の前記垂直面を形成する部位と前記上端接続部材の前記垂直面を形成する部位とが前記ボルト留めされており、
前記第二ブラケットは、前記横フレーム材の前記垂直面を形成する部位に対して固定されていることを特徴とする外壁材の取付構造。
【発明の詳細な説明】
【技術分野】
【０００１】
本発明は、外壁材の取付構造に関する。
【背景技術】
【０００２】
建物において、外壁材を梁に対しブラケットを介してボルトナットで取り付ける構造が知られている（例えば特許文献１参照）。
外壁材としては、例えばＡＬＣパネル等のように、厚みがあって重量はあるものの、耐久性や断熱性に優れたものを用いることがある。このような外壁材は、建物の骨組みを構成する上梁と下梁とに対し、外壁材取り付け用のブラケットを介して取り付けられている。また、このブラケットには、外壁材を上梁と下梁のそれぞれに取り付けるためのボルトが挿通される水平方向に延びた長孔が設けられている。これによって、例えば地震等による水平方向の外力が建物を構成する柱や梁等の骨組みに加わって当該骨組みが変位しても、ブラケットの長孔により、水平方向の外力が外壁材に伝達されずに済む。すなわち、重量のある外壁材が、建物の水平方向の変位に伴って変位することがないので、上下の梁とブラケットとの接続部分や、外壁材とブラケットとの接続部分等に強い荷重がかかりにくくなる。
【０００３】
また、建物の外壁には窓等の開口部がある箇所と、開口部がない箇所とがある。外壁に開口部を形成する場合は、矩形枠状に形成されるとともにサッシ枠が取り付けられた開口部用フレームが、建物を構成する上梁と下梁とに取り付けられて、さらに当該開口部用フレームに対して外壁材が取り付けられる（例えば特許文献２参照）。
このような開口部用フレームは、例えば地震等による水平方向の外力が建物を構成する柱や梁等の骨組みに加わって当該骨組みが変位した際に、これに伴って変位するため、当該開口部用フレームに取り付けられた外壁材も同様に変位することになる。
【先行技術文献】
【特許文献】
【０００４】
【特許文献１】特開２０００−０７３４８０号公報
【特許文献２】特開２００８−１２１３８１号公報
【発明の概要】
【発明が解決しようとする課題】
【０００５】
ところで、例えば特許文献１に記載の外壁に開口部を形成するために、特許文献２に記載のような開口部用フレームを採用すると、建物の変位に伴って変位しない外壁材と、開口部用フレームに取り付けられた変位する方の外壁材とが隣接して設けられることになる。
ところが、このような場合には、例えば地震等による水平方向の外力が加わると、開口部用フレームに取り付けられた変位する方の外壁材が、変位しない方の外壁材に対して接触することが考えられる。建物の変位の大きさによっては、これら外壁材同士が強く接触することも考えられ、好ましくない。そのため、開口部用フレームに取り付けられた外壁材を、変位しない方の外壁に合わせて、建物の変位に伴って変位しないようにしたいという要望があった。
【０００６】
本発明の課題は、窓等の開口部がある箇所に設けられる外壁材を、建物の変位に伴って変位させないようにして、外壁材同士が強く接触することを防ぐことが可能な外壁材の取付構造を提供することを目的とする。
【課題を解決するための手段】
【０００７】
請求項１に記載の発明は、例えば図１〜図１１に示すように、窓等の開口部Ａがある箇所４ａと、当該開口部Ａがない箇所４ｂとを含む外壁４を構成する複数の外壁材５，６の取付構造において、
前記開口部Ａがない箇所４ｂでは、前記複数の外壁材５，６のうちの第一外壁材５が、建物における梁・基礎等の上下の水平構造部（例えば上梁１、下梁２、基礎７）のそれぞれに対して第一ブラケット８を介して取付具（例えばボルトＢ）で取り付けられ、
上側の前記水平構造部に設けられる前記第一ブラケット８には、前記取付具が挿通されるとともに水平方向に長い長孔８ａが形成されており、
下側の前記水平構造部に設けられる前記第一ブラケット８には、前記取付具が挿通される円孔８ｂが形成されており、
前記開口部Ａがある箇所４ａでは、前記複数の外壁材５，６のうち前記開口部Ａの上方および／または下方に設けられる第二外壁材６が、前記上下の水平構造部間に設けられた枠状の開口部用フレーム１０に対して第二ブラケット９を介して取付具（例えばボルトＢ）で取り付けられ、
前記開口部用フレーム１０の中央付近から上端部にかけての間に設けられる前記第二ブラケット９には、前記取付具が挿通されるとともに水平方向に長い長孔９ａが形成されており、
前記開口部用フレーム１０の下端部に設けられる前記第二ブラケット９には、前記取付具が挿通される円孔９ｂが形成されており、
前記第一ブラケット８及び前記第二ブラケット９における前記円孔８ｂ，９ｂの直径は、前記第一ブラケット８及び前記第二ブラケット９における前記長孔８ａ，９ａの長さ寸法よりも短く設定されており、
前記第一外壁材５と前記第二外壁材６は幅方向に隣り合って配置されていることを特徴とする。
【０００８】
請求項１に記載の発明によれば、例えば地震等による水平方向の外力が建物に加わった際に、上下の水平構造部（例えば上梁１、下梁２、基礎７）は、自身の長さ方向であって、かつ水平方向に沿って互いに離間するように変位する。また、建物の場合は、高さ方向の上方に向かうに連れて振れ幅は大きくなるので、特に上側の水平構造部は、下側の水平構造部に対して大きく変位することになる。さらに、枠状の開口部用フレーム１０も、上下の水平構造部に伴って変位することになる。
開口部Ａがない箇所４ｂにおいては、少なくとも、上側の水平構造部に設けられる第一ブラケット８に、取付具（例えばボルトＢ）が挿通されるとともに水平方向に長い長孔８ａが形成されているので、当該長孔８ａによって、上下の水平構造部、特に上側の水平構造部に加わった水平方向の外力が第一外壁材５に伝達されにくくなる。これによって第一外壁材５は、上下の水平構造部、特に上側の水平構造部が水平方向に変位したとしても、これに伴って変位することがない。
一方、開口部Ａがある箇所４ａにおいては、少なくとも、開口部用フレーム１０の中央付近から上端部にかけての間に設けられる第二ブラケット９に、取付具（例えばボルトＢ）が挿通されるとともに水平方向に長い長孔９ａが形成されているので、当該長孔９ａによって、開口部用フレーム１０に加わった水平方向の外力が第二外壁材６に伝達されにくくなる。さらに、第二外壁材６は、変位しない第一外壁材５と幅方向に隣り合って配置されているので、第一外壁材５と共に、上下の水平構造部や開口部用フレーム１０が水平方向に変位したとしても、これに伴って変位することがない。
すなわち、例えば地震等による水平方向の外力が建物に加わったとしても、隣り合う第一外壁材５と第二外壁材６が共に変位しない状態となるので、互いに強く接触することを防ぐことができる。
【０００９】
請求項２に記載の発明は、例えば図１〜図８に示すように、請求項１に記載の外壁材５，６の取付構造において、
前記開口部用フレーム１０は、
前記上下の水平構造部間に架け渡されるようにして設けられるとともに間隔を空けて配置される左右一対の縦フレーム材１１と、
前記第二外壁材６が取り付けられる位置において前記左右の縦フレーム材１１間に水平に架け渡されるようにして設けられる複数の横フレーム材１２と、を備えており、
前記第二ブラケット９は、前記複数の横フレーム材１２に対して固定されていることを特徴とする。
【００１０】
請求項２に記載の発明によれば、開口部用フレーム１０は、左右一対の縦フレーム材１１によって上下の水平構造部と接続された状態となるので、例えば地震等による水平方向の外力が建物に加わった際に、上下の水平構造部と共に確実に水平方向に変位することになる。また、左右の縦フレーム材１１間に設けられた複数の横フレーム材１２と、当該複数の横フレーム材１２に固定された第二ブラケット９によって第二外壁材６を確実に保持することができる。
さらに、第二ブラケット９は、複数の横フレーム材１２に対して固定されているので、上下の水平構造部に関わりなく、開口部用フレーム１０のある位置に第二外壁材６を取り付けることができる。
【００１１】
請求項３に記載の発明は、例えば図４〜図８に示すように、請求項１または２に記載の外壁材５，６の取付構造において、
前記第二外壁材６は、前記開口部用フレーム１０に対して予め取り付けられてパネル化されていることを特徴とする。
【００１２】
請求項３に記載の発明によれば、第二外壁材６は、開口部用フレーム１０に対して予め取り付けられてパネル化されているので、第二外壁材６と開口部用フレーム１０とを同時に取り扱うことができ、輸送しやすく、かつ現場での施工もしやすい。すなわち、施工時には、開口部用フレーム１０を上下の水平構造部間に設ければ、第二外壁材６の施工も同時に行うことができる。
【００１３】
請求項４に記載の発明は、例えば図４〜図９に示すように、請求項１〜３のいずれか一項に記載の外壁材５，６の取付構造において、
前記第二外壁材６は、前記第二ブラケット９を介して前記上下の水平構造部および前記開口部用フレーム１０よりも前記第二ブラケット９の厚み分、外側に配置されており、
前記開口部用フレーム１０は、前記上側の水平構造部１に対して上端接続部材１４を介して接続されており、
前記上端接続部材１４は、前記上側の水平構造部１に接続される部位と、前記開口部用フレーム１０に接続されるとともに垂直面を形成する部位と、を有しており、
前記垂直面を形成する部位は、前記開口部用フレーム１０に対してボルト留めされ、当該ボルトは、前記垂直面を形成する部位と前記開口部用フレーム１０とを接続した状態で屋外側に突出しており、
前記第二ブラケット９の厚み寸法は、前記ボルトの屋外側への突出寸法よりも長く設定されていることを特徴とする。
【００１４】
請求項４に記載の発明によれば、第一外壁材５と第二外壁材６は、第一ブラケット８と第二ブラケット９を介して上下の水平構造部および開口部用フレーム１０よりも外側に配置されているので、これら第一外壁材５と第二外壁材６は、例えば地震等による水平方向の外力が建物に加わった際に変位する上下の水平構造部および開口部用フレーム１０に干渉されずに済む。すなわち、第一外壁材５と第二外壁材６は、上下の水平構造部および開口部用フレーム１０の外側に配置され、これら上下の水平構造部および開口部用フレーム１０の変位に伴わずに変位しない状態となっているため、上下の水平構造部および開口部用フレーム１０が大きく変位した場合であっても、長孔８ａ，９ａの長さ分の範囲であれば、上下の水平構造部および開口部用フレーム１０の動きに影響されることがない。
【００１５】
請求項５に記載の発明は、例えば図８に示すように、請求項２を引用する請求項４に記載の外壁材の取付構造において、
前記開口部用フレーム１０及び前記上端接続部材１４は、前記上側の水平構造部１の直下に設けられており、
前記開口部用フレーム１０における前記横フレーム材１２は断面Ｌ字状に形成され、垂直面を形成する部位を有しており、
前記上端接続部材１４は断面Ｌ字状に形成され、前記垂直面を形成する部位を有しており、
前記横フレーム材１２の前記垂直面を形成する部位と前記上端接続部材１４の前記垂直面を形成する部位とが前記ボルト留めされており、
前記第二ブラケット９は、前記横フレーム材１２の前記垂直面を形成する部位に対して固定されていることを特徴とする。
【発明の効果】
【００１７】
本発明によれば、窓等の開口部がある箇所に設けられる第二外壁材を、建物の変位に伴って変位させないようにして、第一外壁材と第二外壁材とが強く接触することを防ぐことが可能となる。
【図面の簡単な説明】
【００１８】
【図１】開口部がある箇所と、開口部がない箇所とを含む外壁の概略を示す正面である。
【図２】開口部用フレームの例を示す概略図である。
【図３】掃き出し窓の形態の開口部用フレームを示す正面図である。
【図４】掃き出し窓の形態の開口部用フレームを示す側断面図である。
【図５】連窓の形態の開口部用フレームを示す側断面図である。
【図６】開口部用フレームの下端部を示す側断面図である
【図７】開口部用フレームの下端部を示す平断面図である。
【図８】開口部用フレームの上端部を示す側断面図である。
【図９】サッシ枠が取り付けられた状態の開口部用フレームの下端部を示す側断面図である。
【図１０】第一外壁材と第二外壁材との間の目地に目地材が充填された状態を示す平断面図である。
【図１１】外壁の上端部にシャッター装置が設置された状態を示す側断面図である。
【発明を実施するための形態】
【００１９】
以下、図面を参照して本発明の実施の形態について説明する。
本実施の形態の外壁材の取付構造が採用される建物は複数階建てであり、少なくとも屋根よりも下の建物本体に対して、柱および梁等を建築現場で接合する鉄骨軸組構造が採用されている。すなわち、この建物本体は、基礎や梁を含む水平構造部（後述する梁１，２、基礎７）と、各階層において上下に離間して配置された水平構造部間に設けられる垂直構造部（後述する柱３）と、その他、ブレース等の補強材や各種接続部材などにより構成されている。そして、このような建物本体に外壁材（後述する第一外壁材５、第二外壁材６）や内壁材、建具（後述するサッシ枠１３）等が取り付けられる。
なお、本実施の形態においては建物本体を構築するための工法として鉄骨軸組構造を採用したが、これに限られるものではない。例えば直方体フレーム状に形成された建物ユニットを複数組み合わせてユニット式建物を構築するユニット工法を採用してもよい。
【００２０】
図１においては、建物の上階における外壁４が例示されている。すなわち、水平構造部である梁１，２が上下に離間するとともに平行して配置されており、下側の梁２（以下、下梁２）の上に複数の柱３が立設固定され、これら複数の柱３間に上側の梁１（以下、上梁１）が架け渡されて設けられている。
また、外壁４は、窓や出入口のような開口部Ａがある箇所４ａと、開口部Ａがない箇所４ｂとを含んでおり、当該外壁４は、上下梁１，２と、柱３と、複数の外壁材５，６と、枠状の開口部用フレーム１０と、によって概略構成されている。
なお、建物の下階における外壁４の場合は、図４〜図６等に示すように、上階における外壁４と比較すると、下側の水平構造部が梁２ではなく、基礎７が採用されている。また、下階において柱３は基礎７の上に立設固定されている。
【００２１】
本実施の形態において、上下梁１，２にはＨ形鋼が採用されている。すなわち、垂直に配置されるウェブと、当該ウェブの上下端部に設けられるフランジとを有する。なお、本実施の形態では上下梁１，２としてＨ形鋼を採用したが、これに限られるものではない。その他にも、例えばＩ形鋼や溝形鋼等を採用してもよい。
また、本実施の形態において第一外壁材５および第二外壁材６には、例えばＡＬＣ（Autoclaved Lightweight Concrete）パネル等のように、厚みがあって重量はあるものの、耐久性や断熱性に優れたものが用いられている。
【００２２】
基礎７を含む建物本体は、例えば地震等による水平方向の外力が加わった際に水平方向に変位する（図１矢印参照）。
基礎７は下端部が地盤に埋設されているため、地盤と共に変位するが、建物本体における基礎７よりも上の部分は、高さ方向の上方に向かうに連れて水平方向の外力の影響を受けやすくなる。
すなわち、建物本体の上端部は、基礎７に対して振れ幅が大きくなる。したがって、下階において上梁１は基礎７に対して大きく振れ、上階において上梁１は下梁２に対して大きく振れることになる。柱３も、水平方向の外力が加わった際に斜めに傾いた状態となる。
【００２３】
外壁４のうち開口部Ａがない箇所４ｂでは、図１に示すように、複数の外壁材５，６のうちの第一外壁材５が、上下梁１，２（下階の場合は上梁１と基礎７）に架け渡されるようにして設けられている。より詳細には、当該第一外壁材５は、上下梁１，２それぞれに対し、第一ブラケット８を介してボルト等の取付具（図示せず）で取り付けられている。
図１に示すように、第一ブラケット８は、第一外壁材５の四隅に位置するようにして配置されている。すなわち、開口部がない箇所４ｂにおける上梁１の長さ方向両端部と、下梁２の長さ方向両端部とに取り付けられている。また、第一ブラケット８は、上梁１の下面と下梁２の上面のそれぞれに固定されている。
【００２４】
そして、少なくとも上梁１に設けられる第一ブラケット８には、取付具が挿通されるとともに水平方向に長い長孔８ａが形成されている。
なお、本実施の形態においては、上梁１に設けられる第一ブラケット８に長孔８ａが形成され、下梁２に設けられる第一ブラケット８に円孔８ｂが形成されているが、下梁２側の第一ブラケット８に長孔８ａを形成してもよいものとする。
第一外壁材５の裏面側には取付具であるボルトに対応してナット（図示せず）が埋設されており、ボルトを当該ナットに捩じ込んで設けることによって、第一外壁材５を第一ブラケット８に対して取り付けることができる。また、ボルトの頭部と第一ブラケット８との間にはワッシャー（図示せず）が設けられているものとする。
さらに、第一外壁材５は、第一ブラケット８を介して上下梁１，２および開口部用フレーム１０よりも外側に配置されている。すなわち、第一外壁材５は、基礎７を含む外壁４の軸組（上下梁１，２・柱３）に対して、より前方に出た位置に設けられている。
【００２５】
開口部Ａがない箇所４ｂにおいては、少なくとも上梁１に設けられる第一ブラケット８に、取付具が挿通されるとともに水平方向に長い長孔８ａが形成されているので、当該長孔８ａによって、上梁１に加わった水平方向の外力が第一外壁材５に伝達されにくくなる。
なお、上梁１側の第一ブラケット８だけでなく、下梁２側の第一ブラケット８に長孔８ａを形成した場合も同様に、上梁１および下梁２に加わった水平方向の外力が第一外壁材５に伝達されにくくなる。
【００２６】
外壁４のうち開口部Ａがある箇所４ａでは、図１に示すように、複数の外壁材５，６のうちの第二外壁材６が、開口部Ａの上方および下方のそれぞれに設けられている。
より詳細には、枠状の開口部用フレーム１０が上下梁１，２間に設けられており、第二外壁材６は、当該開口部用フレーム１０に対し、第二ブラケット９（９Ａ，９Ｂ）を介してボルトＢ等の取付具で取り付けられている。
【００２７】
開口部用フレーム１０は、窓や出入口のような開口部Ａがある位置に設けられるものであり、窓枠であるサッシ枠１３やドア枠が取り付けられる（図９，図１１参照）。なお、サッシ枠１３には窓用の建具が設けられ、ドア枠にはドア板が設けられる。
また、開口部用フレーム１０は、図２に示すように開口部Ａの形態に応じて、その構成が適宜変更されてもよいものとする。
【００２８】
このような開口部用フレーム１０は、左右一対の縦フレーム材１１と、複数の横フレーム材１２と、を備える。
左右一対の縦フレーム材１１は、上下の水平構造部間（上階では上梁１と下梁２との間、下階では上梁１と基礎７との間）に架け渡されるようにして設けられるとともに間隔を空けて配置される。
複数の横フレーム材１２は、第二外壁材６が取り付けられる位置、すなわち開口部Ａの上方および／または下方において、左右の縦フレーム材１１間に水平に架け渡されるようにして設けられる。横フレーム材１２は、左右の縦フレーム材１１間に一本だけで設けられる場合と、二本以上が近接平行して設けられる場合とがある。
これら縦フレーム材１１および横フレーム材１２は、図４〜図８に示すように、断面略Ｌ字状に形成されており、いずれも垂直面を外側に向けて配置されている。
さらに、枠状の開口部用フレーム１０も、上下梁１，２に伴って変位することになる。すなわち、水平方向の外力が加わった際に、左右一対の縦フレーム材１１が斜めに傾き、複数の横フレーム材１２が水平方向に変位する。特に上梁１に近い位置にある横フレーム材１２ほど振れ幅は大きくなる。
【００２９】
第二ブラケット９（９Ａ，９Ｂ）は、複数の横フレーム材１２に対して固定されている。なお、第二ブラケット９（９Ａ，９Ｂ）は、一本の横フレーム材１２に取り付けられる場合と、平行する複数の横フレーム材１２に架け渡される場合とがある。
また、第二外壁材６は、その面積・重量に応じて、上下方向および水平方向に間隔を空けて設けられた複数の第二ブラケット９（９Ａ，９Ｂ）に対して取り付けられる場合がある。図５は、縦連窓の形態の開口部用フレーム１０（１０ｃ）を示す側断面図であるが、当該開口部用フレーム１０（１０ｃ）の上端部に設けられる第二外壁材６は、つまり、上下方向および水平方向に間隔を空けて設けられた複数の第二ブラケット９（９Ａ，９Ｂ）に取り付ける必要のある面積・重量に設定されていることになる。換言すれば、一定以上の面積・重量に設定された第二外壁材６は、上下方向および水平方向に間隔を空けて設けられた複数の第二ブラケット９（９Ａ，９Ｂ）で支持する必要がある。
【００３０】
第二ブラケット９（９Ａ，９Ｂ）は、図３，図６，図８に示すように、長孔９ａの形成されるもの（第二ブラケット９Ａ）と、円孔９ｂの形成されるもの（第二ブラケット９Ｂ）とで形態が異なる。
なお、本実施の形態においては、開口部用フレーム１０の中央付近から上端部にかけての間に設けられる第二ブラケット９として、長孔９ａが形成された第二ブラケット９Ａを採用している。また、開口部用フレーム１０の下端部付近に設けられる第二ブラケット９として、円孔９ｂが形成された第二ブラケット９Ｂを採用している。ただし、長孔９ａが形成された第二ブラケット９Ａを、開口部用フレーム１０の下端部付近に設けられる第二ブラケット９として採用してもよいものとする。
【００３１】
長孔９ａが形成される第二ブラケット９Ａは、平断面視略コ字状に形成されており、正面側に向けられた垂直面を構成する部分に対して、取付具（ボルト）が挿通されるとともに水平方向に長い長孔９ａが形成されている。
円孔９ｂが形成される第二ブラケット９Ｂは、横フレーム材１２に対して固定される固定部９ｃと、当該固定部９ｃの正面に一体的に設けられるとともに第二外壁材６の下端部を支持する支持部９ｄと、を有する。図６に示すように、支持部９ｄは側面視においてＬ字状に形成されており、水平面を構成する部分が第二外壁材６の下面に当接し、第二外壁材６が、垂直面を構成する部分に取付具で取り付けられる。
より詳細に説明すると、第二外壁材６の裏面側には取付具であるボルトＢに対応してナット（図示せず）が埋設されており、ボルトＢを当該ナットに捩じ込んで設けることによって、第二外壁材６を第二ブラケット９Ａ，９Ｂに対して取り付けることができる。また、ボルトＢの頭部と第二ブラケット９Ａ，９Ｂの垂直面部分との間にはワッシャーＷが設けられている。
また、第二外壁材６は、第二ブラケット９Ａ，９Ｂを介して上下梁１，２および開口部用フレーム１０よりも外側に配置されている。すなわち、第二外壁材６は、基礎７を含む外壁４の軸組（上下梁１，２・柱３）に対して、より前方に出た位置に設けられている。
【００３２】
開口部Ａがある箇所４ａにおいては、少なくとも、開口部用フレーム１０の中央付近から上端部にかけての間に設けられる第二ブラケット９Ａに、ボルトＢが挿通されるとともに水平方向に長い長孔９ａが形成されているので、当該長孔９ａによって、開口部用フレーム１０に加わった水平方向の外力が第二外壁材６に伝達されにくくなる。
なお、第二ブラケット９Ａを、開口部用フレーム１０の中央付近から上端部にかけての間だけでなく、開口部用フレーム１０の下端部付近にも設けた場合も同様に、開口部用フレーム１０に加わった水平方向の外力が第二外壁材６に伝達されにくくなる。
【００３３】
なお、第二外壁材６は、第二ブラケット９（９Ａ，９Ｂ）を介して開口部用フレーム１０に対して予め取り付けられてパネル化されていてもよい。パネル化する際は、その製造段階に工場で行われるものとする。
また、パネル化したものを現場に輸送する際は、輸送車両の荷台に立てた状態または寝かせた状態で輸送する。
【００３４】
ここで、開口部用フレーム１０の種類についてより詳細に説明する。図２には、開口部Ａの形態に対応した複数種類の開口部用フレーム１０が表されている。説明の便宜上、種類ごとに符号（１０ａ，１０ｂ，１０ｃ，１０ｄ）を割り振るものとする。
【００３５】
図２（ａ）に例示する開口部用フレーム１０（１０ａ）は、開口部Ａがいわゆる掃き出し窓の形態である場合に対応して形成されている。
すなわち、開口部用フレーム１０ａは、左右一対の縦フレーム材１１と、当該左右の縦フレーム材１１の上端部間および下端部間に架け渡される横フレーム材１２と、開口部Ａの上下端部において左右の縦フレーム材１１間に架け渡される横フレーム材１２と、を有する。
この場合、開口部Ａの上方および下方に二本ずつの横フレーム材１２があり、これらの位置に第二ブラケット９が適宜設けられ、さらに当該第二ブラケット９に対して第二外壁材６が取り付けられる。
また、サッシ枠１３は、開口部Ａの周囲にあって当該開口部Ａを形成する縦フレーム材１１および横フレーム材１２に対して取り付けられる。
さらに、サッシ枠１３の上方には、シャッター装置２０が設けられる場合がある。このような場合には、第二外壁材６を開口部用フレーム１０に取り付ける代わりに、図１１に示すようにシャッター装置２０を開口部用フレーム１０に設置固定する。図示はしないが、シャッター装置２０の他にも、第二外壁材６の代わりに、バルコニーの床や庇等のように外壁４から張り出して設けられるものを開口部用フレーム１０に取り付けるようにしてもよい。
【００３６】
図２（ｂ）に例示する開口部用フレーム１０（１０ｂ）は、開口部Ａがいわゆる腰高窓の形態である場合に対応して形成されている。
すなわち、開口部用フレーム１０ｂは、左右一対の縦フレーム材１１と、当該左右の縦フレーム材１１の上端部間および下端部間に架け渡される横フレーム材１２と、開口部Ａの上下端部において左右の縦フレーム材１１間に架け渡される横フレーム材１２と、を有する。
この場合、開口部Ａの上方および下方に二本ずつの横フレーム材１２があり、これらの位置に第二ブラケット９が適宜設けられ、さらに当該第二ブラケット９に対して第二外壁材６が取り付けられる。特に、開口部Ａの上方および下方における二本の横フレーム材１２同士の間隔が広い場合には、面積の広い第二外壁材６が設けられるため、当該二本の横フレーム材１２のそれぞれに第二ブラケット９が設けられるものとする。
また、サッシ枠１３は、開口部Ａの周囲にあって当該開口部Ａを形成する縦フレーム材１１および横フレーム材１２に対して取り付けられる。
【００３７】
図２（ｃ）に例示する開口部用フレーム１０（１０ｃ）は、開口部Ａがいわゆる縦連窓の形態である場合に対応して形成されている。
すなわち、開口部用フレーム１０ｃは、二つの開口部Ａがあり、左右一対の縦フレーム材１１と、当該左右の縦フレーム材１１の上端部間および下端部間に架け渡される横フレーム材１２と、二つの開口部Ａそれぞれの上下端部において左右の縦フレーム材１１間に架け渡される横フレーム材１２と、を有する。
この場合、開口部用フレーム１０ｃの上端部と、下端部と、中央部のそれぞれに二本ずつの横フレーム材１２があり、これらの位置に第二ブラケット９が適宜設けられ、さらに当該第二ブラケット９に対して第二外壁材６が取り付けられる。
また、サッシ枠１３は、二つの開口部Ａの周囲にあって当該二つの開口部Ａを形成する縦フレーム材１１および横フレーム材１２に対して取り付けられる。
【００３８】
図２（ｄ）に例示する開口部用フレーム１０（１０ｄ）は、開口部Ａが玄関等の出入口の形態である場合に対応して形成されている。
すなわち、開口部用フレーム１０ｄは、略門型に形成されており、左右一対の縦フレーム材１１と、当該左右の縦フレーム材１１の上端部間に架け渡される横フレーム材１２と、開口部Ａの上端部において左右の縦フレーム材１１間に架け渡される横フレーム材１２と、を有する。
この場合、開口部用フレーム１０ｄの上端部に二本の横フレーム材１２があり、この位置に第二ブラケット９が適宜設けられ、さらに当該第二ブラケット９に対して第二外壁材６が取り付けられる。
また、ドア枠は、開口部Ａの周囲にあって当該開口部Ａを形成する縦フレーム材１１および横フレーム材１２に対して取り付けられる。
また、開口部用フレーム１０（１０ｄ）は、玄関の出入口に用いられる他、玄関の出入口付近において水道メーターやガスメーターが収納されるスペースであるチャンバーの開口部等にも採用される。
【００３９】
なお、開口部用フレーム１０の種類は、以上の形態に限られるものではなく、その他の形態の開口部用フレームを採用してもよい。例えば、部屋や吹抜けの天井付近の高所に設けられる高窓や、逆に床付近の低所に設けられる地窓に対応する形態等の開口部用フレームを適宜採用してもよい。また、開口部Ａの大きさに応じて開口部用フレーム１０の大きさを適宜変更してもよい。
【００４０】
また、開口部用フレーム１０（１０ａ，１０ｂ，１０ｃ，１０ｄ）は、上側の水平構造部に対して上端接続部材１４を介して接続されている。また、下側の水平構造部に対して下端接続部材１５を介して接続されている。
本実施の形態の上端接続部材１４は、図８に示すように、断面略Ｌ字状に形成された接続用金物であり、水平面を形成する部分がＨ形鋼である上梁１のフランジ下面にボルトで接続されている。また、垂直面を形成する部分が、開口部用フレーム１０の上端部に位置する横フレーム材１２にボルトで接続されている。
【００４１】
本実施の形態の下端接続部材１５は、開口部用フレーム１０（１０ａ，１０ｂ，１０ｃ，１０ｄ）を基礎７に接続する場合と、下梁２に接続する場合とで形態が異なる。
開口部用フレーム１０を基礎７に接続する場合の下端接続部材１５は、図６，図７に示すように、ベースプレート１５ａと、第一アンカーボルト１５ｂと、第二アンカーボルト１５ｃと、を有する。
第一アンカーボルト１５ｂおよび第二アンカーボルト１５ｃは基礎７に埋設され、上端部が上方に突出した状態となっている。ベースプレート１５ａには、第一アンカーボルト１５ｂおよび第二アンカーボルト１５ｃが挿通される貫通孔が形成されている。なお、ベースプレート１５ａに設置される横フレーム材１２にも、第二アンカーボルト１５ｃ用の貫通孔が形成されているものとする。
すなわち、開口部用フレーム１０は基礎７に対し、まずベースプレート１５ａを第一アンカーボルト１５ｂで固定しておき、第二アンカーボルト１５ｃを、ベースプレート１５ａの貫通孔と横フレーム材１２の貫通孔に挿通させてナットを螺合させることで接続される。
開口部用フレーム１０を下梁２に接続する場合は、上端接続部材１４と同様の接続用金物を採用し、下梁２のフランジ上面にボルト接合すればよい。
【００４２】
なお、開口部用フレーム１０や上端接続部材１４、下端接続部材１５に対しては、図８等に示すようなサッシ枠１３の取り付けに必要なサッシアンカー１６や、図６等に示すような水切り受け１７等が適宜取り付けられているものとする。
【００４３】
以上のようにして外壁４のうち開口部Ａがある箇所４ａに設けられた開口部用フレーム１０には、第二ブラケット９（９Ａ，９Ｂ）を介して第二外壁材６が取り付けられている。そして、図１に示すように、このような第二外壁材６は、開口部Ａがない箇所４ｂにおける第一外壁材５と幅方向に隣り合って配置されている。
また、第一外壁材５と第二外壁材６との間に形成される目地１８に対しては、図１０に示すように、当該目地１８を塞ぐための目地材１９が充填されている。本実施の形態の目地材１９は乾式のものを採用したが、湿式の目地材を採用してもよいものとする。
【００４４】
そして、第二外壁材６は、変位しない第一外壁材５と幅方向に隣り合って配置されているので、第一外壁材５と共に、上下の水平構造部や開口部用フレーム１０が水平方向に変位したとしても、これに伴って変位することがない。また、目地材１９が弾性を有するものであれば、第一外壁材５と第二外壁材６との間で外力がより伝達しにくくなるので好ましい。
【００４５】
本実施の形態によれば、例えば地震等による水平方向の外力が建物に加わった際に、上下の水平構造部である上梁１、下梁２、基礎７は、自身の長さ方向であって、かつ水平方向に沿って互いに離間するように変位する。また、建物の場合は、高さ方向の上方に向かうに連れて振れ幅は大きくなるので、特に上側の水平構造部である上梁１は、下側の水平構造部である下梁２、基礎７に対して大きく変位することになる。さらに、枠状の開口部用フレーム１０も、上下の水平構造部に伴って変位することになる。
開口部Ａがない箇所４ｂにおいては、少なくとも、上側の水平構造部に設けられる第一ブラケット８に、ボルトＢ等の取付具が挿通されるとともに水平方向に長い長孔８ａが形成されているので、当該長孔８ａによって、上下の水平構造部、特に上側の水平構造部に加わった水平方向の外力が第一外壁材５に伝達されにくくなる。これによって第一外壁材５は、上下の水平構造部、特に上側の水平構造部が水平方向に変位したとしても、これに伴って変位することがない。
一方、開口部Ａがある箇所４ａにおいては、少なくとも、開口部用フレーム１０の中央付近から上端部にかけての間に設けられる第二ブラケット９に、ボルトＢ等の取付具が挿通されるとともに水平方向に長い長孔９ａが形成されているので、当該長孔９ａによって、開口部用フレーム１０に加わった水平方向の外力が第二外壁材６に伝達されにくくなる。さらに、第二外壁材６は、変位しない第一外壁材５と幅方向に隣り合って配置されているので、第一外壁材５と共に、上下の水平構造部や開口部用フレーム１０が水平方向に変位したとしても、これに伴って変位することがない。
すなわち、例えば地震等による水平方向の外力が建物に加わったとしても、隣り合う第一外壁材５と第二外壁材６が共に変位しない状態となるので、互いに強く接触することを防ぐことができる。
【００４６】
また、開口部用フレーム１０は、左右一対の縦フレーム材１１によって上下の水平構造部と接続された状態となるので、例えば地震等による水平方向の外力が建物に加わった際に、上下の水平構造部と共に確実に水平方向に変位することになる。また、左右の縦フレーム材１１間に設けられた複数の横フレーム材１２と、当該複数の横フレーム材１２に固定された第二ブラケット９によって第二外壁材６を確実に保持することができる。
さらに、第二ブラケット９は、複数の横フレーム材１２に対して固定されているので、上下の水平構造部に関わりなく、開口部用フレーム１０のある位置に第二外壁材６を取り付けることができる。
【００４７】
また、第二外壁材６は、開口部用フレーム１０に対して予め取り付けられてパネル化されているので、第二外壁材６と開口部用フレーム１０とを同時に取り扱うことができ、輸送しやすく、かつ現場での施工もしやすい。すなわち、施工時には、開口部用フレーム１０を上下の水平構造部間に設ければ、第二外壁材６の施工も同時に行うことができる。
【００４８】
また、第一外壁材５と第二外壁材６は、第一ブラケット８と第二ブラケット９を介して上下の水平構造部および開口部用フレーム１０よりも外側に配置されているので、これら第一外壁材５と第二外壁材６は、例えば地震等による水平方向の外力が建物に加わった際に変位する上下の水平構造部および開口部用フレーム１０に干渉されずに済む。すなわち、第一外壁材５と第二外壁材６は、上下の水平構造部および開口部用フレーム１０の外側に配置され、これら上下の水平構造部および開口部用フレーム１０の変位に伴わずに変位しない状態となっているため、上下の水平構造部および開口部用フレーム１０が大きく変位した場合であっても、長孔８ａ，９ａの長さ分の範囲であれば、上下の水平構造部および開口部用フレーム１０の動きに影響されることがない。
【００４９】
また、第一外壁材５と第二外壁材６との間に形成される目地１８に対して目地材１９が充填されているので、当該目地材１９が緩衝材となり、第一外壁材５と第二外壁材６とが直接に接触することを防ぐことができる。
【符号の説明】
【００５０】
Ａ  開口部
１  上梁（水平構造部）
２  下梁（水平構造部）
３  柱（垂直構造部）
４  外壁
４ａ  開口部Ａがある箇所
４ｂ  開口部Ａがない箇所
５  第一外壁材
６  第二外壁材
７  基礎（水平構造部）
８  第一ブラケット
８ａ  長孔
８ｂ  円孔
９Ａ，９Ｂ  第二ブラケット
９ａ  長孔
９ｂ  円孔
１０  開口部用フレーム
【図１】
0006386855.tif 000002
【図２】
0006386855.tif 000003
【図３】
0006386855.tif 000004
【図４】
0006386855.tif 000005
【図５】
0006386855.tif 000006
【図６】
0006386855.tif 000007
【図７】
0006386855.tif 000008
【図８】
0006386855.tif 000009
【図９】
0006386855.tif 000010
【図１０】
0006386855.tif 000011
【図１１】
0006386855.tif 000012